(57)【要約】      （修正有）【課題】レンズの位置制御に必要以上の精度を要求することなく、またレンズ移動に際して偏りの生じ難いコンパクト化したレンズ駆動装置にも適用可能な、レンズの焦点調節を行うボイスコイル型のレンズ駆動装置を提供すること。【解決手段】下側のベース１と、一対の導通ばね２と、金属性のヨーク６と、磁石５と、可動ユニットＭ１と、板ばね７と、上側のカバーフレーム８とからなり、各導通ばね２を、外側のばね本体と、内側の半円形の細いばね片２ａと、内側ばね片２ａに一端を結合しＵターンを繰り返す曲線部および外側ばね本体に他端を結合してＵターンを繰り返す他の曲線部とからなるばね線体とで構成し、板ばね７を、外縁側が四角形のバネ枠７ａと、内縁側が丸いバネリング７ｂと、上記バネリング７ｂに一端を結合してＵターンを繰り返す曲線部および上記バネ枠７ａに他端を結合してＵターンを繰り返す他の曲線部とからなるばね線体とで構成させている。【選択図】図１
2008268474.tif 000002
【特許請求の範囲】
【請求項１】
レンズを装着した可動ユニットのコイルに通電して発生する磁界がコイルに対向する固定磁石との間に生じる反発磁力によりレンズの焦点調節を行うボイスコイル型のレンズ駆動装置において、
下側のベースと、ベース上に配置した導通ばねと、導通ばね上に配置した金属性のヨークと、ヨーク内に取り付けた磁石と、ヨーク内に上記の磁石に対向させながら挿入した可動ユニットと、ヨーク上に配置した板ばねと、板ばね上に重ねて配置しながら上記ベースに結合する上側のカバーフレームとからなり、
更に、上記各導通ばねは、外側のばね本体と、このばね本体の内側に形成した細いばね片と、内側ばね片に一端を結合してＵターンを繰り返す曲線部および外側ばね本体に他端を結合してＵターンを繰り返す他の曲線部とからなると共に当該二つの曲線部が交差する角度で配置されているばね線体とで構成し、
上記板ばねは、外縁側が四角形の細いバネ枠と、内縁側が丸く細いバネリングと、上記バネリングに一端を結合してＵターンを繰り返す曲線部および上記バネ枠に他端を結合してＵターンを繰り返す他の曲線部とからなるばね線体とで構成させていることを特徴とするボイスコイル型のレンズ駆動装置。
【発明の詳細な説明】
【技術分野】
【０００１】
本発明は、コイルに通電して発生する磁界がコイルに対向する固定磁石との間に生じる反発磁力によりレンズの焦点調節を行うボイスコイル型のレンズ駆動装置に関する。
【背景技術】
【０００２】
従来、コイルに通電して発生する磁界がコイルに対向する固定磁石との間に生じる反発磁力によりレンズの焦点調節を行うボイスコイル型のレンズ駆動装置において、可動ユニットを初期位置に戻すばねとして、例えば、特許文献１、特許文献２に開示されている。
【０００３】
特許文献１に示すばねは、図１７に示すように、は、内周側端部１０９aと外周側端部１０９９bとの間に細いバネ線体１２５を形成して、弾性部を構成した形態となっている。
【０００４】
また、特許文献２に開示されたものは、図１８に示すように、ばね１５０の外側は固定フレームに、内側は可動ユニットに取り付けられ、その間にＵ字状に折り返した屈曲部５３が形成されて弾性部を構成している。
【特許文献１】特開２００６−２０１５２５号公報（図１、段落００３１参照）
【特許文献２】登録実用新案第３１２６０６号公報（図３参照）
【発明の開示】
【発明が解決しようとする課題】
【０００５】
しかしながら、上記従来のばねは機能上欠陥がある分けではないが、次のような不具合の改善が望まれている。
【０００６】
例えば、図１７に示すように、上記特許文献１のばね形態では、弾性部１２５，１３１，１２８，１３０を構成した場合には、内周側端部１０９aと外周側端部１０９bとの間に弾性部を構成しているため、装置全体の外形形態が大きくなりコンパクト化したレンズ駆動装置には適用が困難になる。
【０００７】
また、図１８に示すように、特許文献２に開示されたばね１５０は、上記特許文献１に開示された形態の弾性部を改良するものであるが、四角形の四つの隅部分で丸いレンズ筒との間に形成される狭いスペースを利用して、外側と内側との間にＵ字状に折り返した屈曲部１５３が形成されて弾性部を構成している。そのために弾性部分の経路が短くなり、ばねの弾性係数が大きく、ばねの特性はレンズを制御する駆動力の変化を大きくして好ましいものではない。そのことによってレンズの位置制御に必要以上の精度を要求することになるという問題がある。
【０００８】
さらに、これらの従来の形態においては、ばねに抗してレンズが移動する際に、ばねの形状から生じる特性によって特有の方向に偏りが生じるという問題がある。即ちばねが伸縮する際に、伸縮する方向つまり内側または外側に引っ張られながら作動するようになり、レンズの傾きが生じやすくなる。
【０００９】
具体的には、図１７に示す特許文献１に開示された形態の場合には、連結部１２８，１３０の位置が円周方向で異なるために、作動に際してレンズに回転方向の力が作用する。特許文献１の段落００３１には、円弧状の連結部１２８，１３０が各々円の１／２以上をなす円弧状にしているので、弾性変形しやすくストレスを吸収しやすいと解説されているが、現実にはこの部分が内周側と外周側とに近いため、この部分の変形によって強制振動を生じやすく、共振現象が生じて回転方向の振動が減衰し難いという問題がある。
【００１０】
また、図１８に示す特許文献２のばね１５０の場合には、伸縮する方向にレンズが引っ張られてレンズの傾きが生じやすく、そのためにレンズの作動に際して摺動部に摩擦力が作用し、そのうえ作動終期の磁気駆動力が弱くなるところで弾性係数が大きくなる結果となって好ましくないのである。
【００１１】
つまり、レンズユニットは撮影装置がどのような姿勢で使用されるかによって、それぞれ異なる方向に偏った位置から作動を始める。そして駆動源であるマグネットとコイルとの磁気力およびそれら両者間の相対距離、あるいは偏った位置における接触摺動部との摩擦係数などによって、コイルに通電されて作動開始直後にレンズ系の運動には特有の振動が伴う。
【００１２】
レンズユニットの移動速度、重量などによりレンズユニットの振動系が異なることによって、レンズ系の共振現象の減衰状態が変化することに対応して、レンズユニットの旋回運動を急速に減衰させるために、振動系の吸収状態を変えることが必要である。
【００１３】
本発明は、このような課題を解決し、レンズの位置制御に必要以上の精度を要求することなく、またレンズ移動に際して偏りの生じ難いコンパクト化したレンズ駆動装置にも適用可能な、レンズの焦点調節を行うボイスコイル型のレンズ駆動装置を提供することを目的とする。
【課題を解決するための手段】
【００１４】
上記課題を解決するため、本発明の手段は、レンズを装着した可動ユニットのコイルに通電して発生する磁界がコイルに対向する固定磁石との間に生じる反発磁力によりレンズの焦点調節を行うボイスコイル型のレンズ駆動装置において、
下側のベースと、ベース上に配置した導通ばねと、導通ばね上に配置した金属性のヨークと、ヨーク内に取り付けた磁石と、ヨーク内に上記の磁石に対向させながら挿入した可動ユニットと、ヨーク上に配置した板ばねと、板ばね上に重ねて配置しながら上記ベースに結合する上側のカバーフレームとからなり、
更に、上記各導通ばねは、外側のばね本体と、このばね本体の内側に形成した細いばね片と、内側ばね片に一端を結合しＵターンを繰り返す曲線部および外側ばね本体に他端を結合してＵターンを繰り返す他の曲線部とかとからなると共に当該二つの曲線部が交差する角度で配置されているばね線体とで構成し、
上記板ばねは、外縁側が四角形の細いバネ枠と、内縁側が丸く細いバネリングと、上記バネリングに一端を結合してＵターンを繰り返す曲線部および上記バネ枠に他端を結合してＵターンを繰り返す他の曲線部とからなるばね線体とで構成させていることを特徴とするものである。
【発明の効果】
【００１５】
請求項１に記載の発明によれば、導通ばねを、外側のばね本体と、このばね本体の内側に形成した半円形の細いばね片と、内側ばね片に一端を結合しＵターンを繰り返す曲線部および外側ばね本体に他端を結合してＵターンを繰り返す他の曲線部とからなるばね線体とで構成し、
板ばねを、外縁側が四角形の細いバネ枠と、内縁側が丸く細いバネリングと、上記バネリングに一端を結合してＵターンを繰り返す曲線部および上記バネ枠に他端を結合してＵターンを繰り返す他の曲線部とからなるばね線体とで構成させたから、レンズの位置制御に必要以上の精度を要求することなく、またコンパクト化したレンズ駆動装置にも適用可能なレンズの焦点調節を行うボイスコイル型のレンズ駆動装置を提供することができるようになる。
【００１６】
このように本発明によれば、弾性体であるばねの経路を限られたスペース内で可及的に長くとるとともに、レンズの変位に際して方向の偏りを生じさせない形状にすることによって、ばねの弾性係数を小さくし、ばねの特性がレンズを制御する駆動力の変化が大きくならないように構成している。そのために、レンズ移動に際して偏りの生じ難い極めて良好なボイスコイル型のレンズ駆動装置を提供することができるようになる。
【発明を実施するための最良の形態】
【００１７】
以下、本発明の一実施の形態について、図面を参照して詳細に説明する。図１に示すように、本発明のボイスコイル型のモータを用いたレンズ駆動装置は、カバーフレーム８の中に板ばね７、ヨーク６、磁石５、コイルベース４、ワッシャー３、導通ばね２、ベース１を順次積み重ねて構成される。図１の組み立て分解図斜視図では、図２から分かるように本来上側となるカバーフレーム８を下に置き、このカバーフレーム８に下側となる各構成部品を上方に順次組み付ける状態を示している。
【００１８】
ベース１は、図２に示しように、本体が四角形をなす板形状に合成樹脂で成形され、この本体の四隅部には上方に向けて突出する四つの支柱１ａが形成されている。本体の中央にはレンズ開口１ｂとしての孔が形成され、この孔の口縁周囲には円筒形のガイド筒１ｃが起立している。
【００１９】
本体の一片には切欠き部１ｇが形成せれている。
【００２０】
また、図８、図１３、図１４に記載されているように、上記円筒形の突出部１ｃの基部外側には円弧状で、やや深い溝１ｄが等間隔で四か所に形成されている。さらに、支柱１ａの内側基部には半円形の突起部１ｅが形成され、この突起部１ｅの上方に連なって支柱１ａの内周に食い込む半円形の窪み部１ｆが形成されている。
【００２１】
導通ばね２は、リン青銅などの導電性を有しかつばね特性に優れた材質の薄板で構成され、左右対称に相対向して配置した一対の板ばねからなっている。これは、図１１（Ａ）（Ｂ）に示すように外側のコ字状ばね本体２ｂと、このばね本体２ｂの内側に形成した半円形の細いばね片２ａとで形成されている。外側のばね本体２ｂの一端にはＬ型に折り曲げて支持片２ｃが形成され、同じくばね本体２ｂの外側隅部二か所には４５度に面取りされて湾曲した窪み部２ｄが形成されている。
【００２２】
また、内側ばね片２ａと外側ばね本体２ｂとは細いばね線体で連結され、このばね線体は内側ばね片２ａに一端を結合しＵターンを繰り返す水平方向の曲線部２ｅと、外側ばね本体２ｂに他端を結合してＵターンを繰り返す縦方向の他の曲線部２ｆとで構成されている。この場合に、内側ばね片２ａに一端を接してＵターンを繰り返す曲線部２ｅと、外側ばね本体に他端を結合してＵターンを繰り返す曲線部２ｆとは、例えば９０度で交差して配置されている。即ち、一方の水平な曲線部２ｅに対して他方の縦方向曲線部２ｆが９０度変位して連結されている。
【００２３】
さらに内側の半円形ばね片２ａの両端部２ｇには後述するコイルＣの端子が取り付けられるように溝を備えてフック状に形成され、同じくバネ片２ａの内周の上下二か所には後述するコイルベース４に取り付けるため溝状のガイド部２ｈが形成されている。
【００２４】
上記実施形態では導通ばね２を二つに分割して形成しているが一体に形成することもでき、その場合には一方の導通端子を板ばね７から引き出せばよい。
【００２５】
ワッシャー３は、電気的絶縁材料で形成された薄いフィルムで構成されており、図１、図２に示すように四角形フレーム３ａからなる形状で、このフレーム３ａの四つの外側隅部に小さな円弧で形成された窪み３ｂを備えている。
【００２６】
コイルベース４は、図９、図１０に示すように外形が四角形の筒体と、この筒体の中央に形成したレンズ開口４ａとを有し、レンズ開口４ａの内周にレンズ取り付けねじ４ｂが形成されて全体が合成樹脂で成型加工されている。四角形の筒体外周の各外面４ｃにはそれぞれ二つの突起４ｄが形成され、その突起４ｄは基部が細く外側が太くなるように形成されている。例えば、突起の４ｄの外面に上り勾配のテーパ面が形成されて外側の径を大きくしている。
【００２７】
これらの突起４ｄの外周には、即ち、筒体の各一つの外面４ｃに形成された二つの突起４ｄの周りに一つのコイルＣが巻装されている。
【００２８】
この場合、一箇所に所定の回数だけ巻き終わると筒体が９０度回転され次の外面４ｃにコイルＣが巻かれる。
【００２９】
このようにして四つの外面４ｃのそれぞれの突起４ｄに順次巻装され、その端子は後述する取り付け工程において、前記導通ばね２の内側ばね辺２ａの支持片２ｇに半田付けなどによって取り付けられる。
【００３０】
また、コイルベース４のレンズ取り付けねじ４ｂ部分は、円筒状に起立された円筒４ｆと、その外周に等間隔で４か所に形成した小さな円柱４ｇとを有している。さらに、コイルベース４の筒体における四つの隅部分で、上記円筒状に起立された円筒４ｆの外周側に接するように、光軸方向と平行に深く細長い角型穴４ｈが形成されている。
【００３１】
一方、図１２に示すようにコイルベース４の光軸方向で上述とは反対側の筒体の上面には、言い換えれば、図２に示すコイルベース４における下面側には、レンズ取り付けねじ４ｂに続いて部分的に延長して起立する円弧状の突出片４ｉが等間隔に四か所に形成され、この突出片４ｉの外側には平坦面４ｊが形成されている。またこの平坦面４ｉより外側で筒体の四つの隅部には小さなガイドピン４ｋが起立している。前記円弧状の突出片４ｉは、組み立てられた時にベース１の円弧状の溝１ｄに嵌入する。
【００３２】
磁石５は、永久磁石として磁化されており、図１、図４に示すように四片の磁石で構成され、金属薄板の磁性材で形成された下記ヨーク６の四辺内側内壁にそれぞれに取り付けられて固定されている。
【００３３】
ヨーク６は、図１、図２に示すように、光軸方向の一方の下側の面（図２で下側の面）が解放され、他方の底面（図２で上側の面）の中央にレンズ開口６ａが形成された四角形の有底筒状の箱体と、上記底面の四隅から下方に向けて起立した折り曲げ部６ｂと、上記箱体の四隅で上記折り曲げ部６ｂとは反対側となる先端部（図１で上端部）に形成した切り込み６ｄとで構成している。
【００３４】
そして、前記箱体の四辺内側にそれぞれ前記固定磁石５を取り付け、この磁石５に前記コイルＣが対向するように前記可動ユニットを箱体内部に配置するようにしている。
【００３５】
上記の場合、ヨーク６における箱体の隅部は４辺からなる側壁に対して４５度の角度で面取りされた面６ｃを有し、この面６ｃの内側に沿って上記折り曲げ部６ｂが底面から起立し、同じく、上記面６ｃの解放側端に角形の切り込み６ｄを形成している。この角形の切り込み６ｄは精巧に形成されており、前記ベース１に形成された前記半円形の突起１ｅに嵌合され、装置全体の性能を発揮せしめるための取り付け位置の基準となる。
【００３６】
板ばね７は、導通ばね２と同様にリン青銅などの導電性を有しかつばね特性に優れた材質の薄板で構成され、図７に示すように単一の部品からなり、これは、外縁側が四角形の細いバネ枠７ａと、内縁側が丸く細いバネリング７ｂと、バネ枠７ａとバネリング７ｂとを連結するばね性のある線体とで構成されている。
【００３７】
四角形の外側バネ枠７ａの四つの隅部は、取り付けの場合のガイドとなるように４５度に面取りされた傾斜面７ｃで形成され、内側のバネリング６ｂの外周四か所には、取り付けガイドとなる半円形の窪み部７ｄが等間隔に形成されている。
【００３８】
また、前記導通ばね２の場合と同様に、上記連結用の線体は内側のバネリング７ｂに一端を結合してＵターンを繰り返す水平な曲線部７ｅと、外側のバネ枠７ａに他端を結合してＵターンを繰り返す縦方向の他の曲線部６ｆとが形成されている。この場合にも前述の導通ばね２と同様に、曲線部６ｅと曲線部６ｆとは９０度で交差する角度をもって変位している。
【００３９】
カバーフレーム８は、図１、図２に示すように四角形をなす形状に合成樹脂で成形された板状本体８ｄと、この本体８ｄの四隅部に図２において下方に起立する四つの支柱８ａと、本体８ｄの中央に形成したレンズ開口８ｂとで構成されている。支柱８ａは、内側が４５度の傾斜内角を持つ直角二等辺三角形柱として形成される。この四つの支柱８ａの下端（図１において上端）上には結合部たる半円形の突起８ｃが設けられている。
【００４０】
次に、これらの各部品を組み立てる順序について詳細に説明する。基本的には図１に示す通り、カバーフレーム８の中に板ばね７、ヨーク６、磁石５、コイルベース４、ワッシャー３、導通ばね２、ベース１を順次積み重ねて構成される。
【００４１】
始めに、カバーフレーム８の支柱８ａの斜面に接するように、ばね７のそれぞれの隅部の斜面７ｃを合わせて取り付ける。その中へヨーク６をレンズ開口６ａが下になるようにし、かつ隅部の斜面６ｃを支柱８ａの斜面に合わせながら差し込んで取り付ける。従って、板ばね７はカバーフレーム８とヨーク６とによって挟持されることになる。
【００４２】
次に、四片の磁石５を、ヨーク６の各側壁の内周に取り付けて固定する。この場合、磁石５が永久磁石として磁化されていて、ヨーク６も磁性材であるから双方を吸着させておけばよい。
【００４３】
続いて、コイルベース４と、コイルベース４の筒体における外周四つの各面に巻装したコイルＣとで可動ユニットＭ１を構成させておき、この可動ユニットＭ１を磁石５の内側を通してヨーク６内に挿入させ、四つの各コイルＣが固定磁石５に対向するように取り付ける。この場合に、コイルベース４の四つの隅部に形成された角型穴４ｈを、ヨーク６の内側の折り曲げ部６ｂに挿入させる。つまり、可動ユニットＭ１は、ヨーク６の内側の折り曲げ部６ｂをガイドとして取り付けられ、同時に作動の際にはこの折り曲げ部６ｂに沿って移動することになる。
【００４４】
このような取り付け方法をとることによって、上述のようにコイルベース４にコイルＣを巻装した可動ユニットＭ１は、比較的寸法精度が向上しているからコイルＣと磁石５との間の隙間を小さくとりつつ、両者間で安定距離を確保できるようになる。従って、コイルＣに通電して磁界を発生させ磁石５との間の反発力を、安定してかつ強力にすることができるようになる。
【００４５】
この場合に、可動ユニットＭ１が折り曲げ部６ｂをガイドとして取り付けられると、コイルベース４の下側（図２において上側）に形成されている円筒部４ｆが、板ばね７の内側バネリング６ｂに対向して嵌合するようになり、同時に円柱４ｇが板ばね７の窪み部７ｄに嵌合される。
【００４６】
つぎに、コイルベース４に形成された平坦面４ｊの上に、ワッシャー３および二つの導通ばね２が順次載置される。ワッシャー３は、四つの隅部の窪み３ｂがカバーフレーム８の支柱８ａの内側に対向するように載置され、二つの導通ばね２は、内側のガイド部２ｈがコイルベース４の四つの円弧状ガイドピン４ｋに嵌合されて載置される。
【００４７】
そして、コイルＣの端子が二つの導通ばね２の内側の端部２ｇに、それぞれはんだ付けされる。ワッシャー３は絶縁材料で形成されているから、コイルＣと導通ばね２とが不用意に接触し、電気的に導通することがないように、電気的絶縁性を確保している。なお、上記載置する作業は予め可動ユニットＭ１の状態で完了させておくこともできる。
【００４８】
最後にベース１を取り付ければ全体ユニットが完成するが、取り付けにあたってベース１の支柱１ａとカバーフレーム８の支柱８ａとが付き合わされる。そしてカバーフレーム８の支柱先端に形成された半円形突起８ｃが、ベース１の支柱１ａに形成された窪み１ｆに嵌合される。
【００４９】
さらにこのとき、ベース１の支柱１ａの内側に形成された半円形の突起部１ｅが、ヨーク６の隅部の斜面に形成された角形の切り込み６ｄ、ワッシャー３の窪み部３ｂおよび導通ばね２の窪み部２ｄに嵌合される。また、ヨーク６の隅部に面取りされた面６ｃは、カバーフレーム８の支柱８ａの内側に嵌合して位置を規制され、ベース１との位置合わせもなされる。
【００５０】
従って、可動ユニットＭ１がヨーク６に沿ってカバーフレーム８やベース１と位置精度を保って制御され、高精度でスムーズな作動を確保できるようになる。すなわち、ベース１の支柱１ａの内側に形成された半円形の突起１ｅが、ヨーク６の隅部の斜面に形成された角形の切り込み６ｄに嵌合され、また、カバーフレーム８の支柱８ａの内側に嵌合して位置を規制され、ベース１との位置合わせもなされる。最終的な組み込み状態の確認が終わると、カバーフレーム８とベース１との接合部に接着剤が塗布され、或いは接合部の外周部分に接合テープが張られ両者の結合が完了し、レンズ駆動装置が完成する。
【００５１】
従って、位置精度を要する部品を相互に直接結びつけて取り付けるように構成したから、それぞれの部品誤差に基づく遊びを少なくして、装置全体に対する可動ユニットの相対位置を基準位置に維持し、高精度の構成を実現できるようになるのである。
【００５２】
このように結合された状態では、導通ばね２のＬ型支持片２ｃは、ベース１の切欠き部１ｇから突き出すように構成されている。
【００５３】
以下、このように構成された実施形態におけるレンズ駆動装置の作動方法について詳細に説明する。導通ばね２のＬ型支持片２ｃにレンズ制御回路（図示しないが公知のものである）の出力信号を入力することによって、コイルＣに電流が供給され、フレーミングの左手の法則による磁界がコイルＣ発生する。
【００５４】
このコイルＣにおける発生磁界によって、コイルＣに対向してヨーク６に取り付けられた磁石５の磁界との間に反発力が作用し、可動ユニットＭがレンズ制御回路の出力信号に対応する距離だけ移動する。これによって所定のレンズの焦点位置制御ができる。即ち、フレーム8側から入射する被写体像光線が、ベース1の後方にある受光素子上に適正に結像させることができる。
【００５５】
この場合に導通ばね２および板ばね７は、コイルＣが非導通のときは、可動ユニットＭ１をベース側に押し圧するように予圧を与え、コイルＣに通電して可動ユニットＭ１が移動したときでも、弾性力の変動が可及的に小さくなるように細い部分を長く形成してある。
【００５６】
さらに、各導通ばね２、板ばね７において、内側に一端を連結してＵターンを繰り返す曲線部２ｅ、７ｅと、外側に他端を連結してＵターンを繰り返す曲線部２ｆ、７ｆをこのように構成することによって、可動ユニットＭ１の移動に伴う自転や傾きが可及的に減少するように機能させられる。
【００５７】
それは、曲線部２ｅ、７ｅと曲線部２ｆ、７ｆとが、可動ユニットＭ１の自転運動を規制するように、互いに矢印ＰまたはＱ方向に伸縮または角度θ方向の旋回変位を行なうからであると考えられる。さらに、曲線部２ｅ、７ｅと曲線部２ｆ、７ｆとが、隣接する隅部では可動ユニットＭの旋回運動を減衰させるように作用するから、急速に振動を消滅させることができる。
【００５８】
図１５および図１６は、板ばね７と導通ばね２の他の実施の形態を示す。即ちこれらは、曲線部の取り付け位置を変更したもので、図１５において上側となる板ばね７の水平な曲線部７ｆをばね本体７ａに連結し、縦方向の曲線部７ｅをバネリング７ｂに結合している。同じく、導通ばね２の水平な曲線部２ｆをばね本体２ｂに結合し、縦方向の曲線部２ｅをばね片２ａ側に結合している。
【００５９】
なお、図１６の一対の導通ばね２，２の曲線部からなる線体は互い違いに配置されているが、対称状態に配置しても良い。
【００６０】
上記の他の実施の形態では、可動ユニットＭ１の移動速度、重量などによって、可動ユニットＭ１の振動系が異なることによって共振現象の減衰状態が変化することに対応して、可動ユニットＭ１の旋回運動を急速に減衰させるために、振動系の吸収状態を変えることを目的としている。
【００６１】
従って、装着されるレンズによって可動ユニットＭ１の全体重量が変化し移動速度を変更する場合もあるので、実施にあたっては図７および図１１を採用し、あるいは図１５および図１６を採用する場合のほか、図７および図１６あるいは図１１および図１５を採用する場合など、状況に応じて曲線部の位置、形状を適宜組み合わせて採用すればよい。
【００６２】
また、上記説明におい二つの導通ばね２，板ばね７に形成される内側に一端を結合してＵターンを繰り返す曲線部２ｅ、７ｅと、外側に他端を結合してＵターンを繰り返す曲線部２ｆ、７ｆとは、例えば９０度で交差する角度をもって形成されているが、これに限定されるものではなくこの角度を適宜変更して形成できる。
【００６３】
さらに、上記実施の形態では、導通ばね２を二つに分割して左右一対に形成しているが、これらは一体に形成しても良く、この場合には一方の導通端子を導通ばね２に設け、他方の導通端子を板ばね７から引き出せばよい。
【００６４】
なお、本発明は、上記実施形態に限定されるものではなく、本発明の技術的思想の範囲内で、適宜変更して実施することができるものである。
【図面の簡単な説明】
【００６５】
【図１】本発明の実施の一形態に係わるボイスコイル型のレンズ駆動装置に分斜視図である。
【図２】図１の配置を逆方向から見た分解斜視図である。
【図３】（Ａ）は本発明の実施の一形態におけるボイスコイル型のレンズ駆動装置の平面図、（Ｂ）は右側面図、（Ｃ）は背面図である。
【図４】図３におけるＡ−Ａ線横断平面図である。
【図５】図３におけるＢ−Ｂ線縦断側面図である。
【図６】図３におけるＣ−Ｃ線断面図である
【図７】（Ａ）は板ばねの斜視図、（Ｂ）は板ばねの部分拡大斜視図である。
【図８】図６の部分拡大断面図である。
【図９】（Ａ）はコイルベースの平面図、（Ｂ）は右側面図である。
【図１０】コイルの一部を取り付けたコイルベースの斜視図である。
【図１１】（Ａ）は導通ばね斜視図、（Ｂ）は部分拡大斜視図である。
【図１２】ベースとコイルベースとの組み付け状態を示す斜視図である。
【図１３】ベースにコイルベースを組み付けた状態の斜視図である。
【図１４】ベースの横断平面図である。
【図１５】（Ａ）（Ｂ）は他の実施の形態に係わる板ばねの斜視図と部分拡大斜視図である。
【図１６】（Ａ）（Ｂ）は他の実施の形態に係わる導通ばねの斜視図と部分拡大斜視図である。
【図１７】従来のばねの平面図である。
【図１８】従来の他のばねの部分拡大斜視図である。
【符号の説明】
【００６６】
１  ベース
２  導通ばね
３  ワッシャー
４  コイルベース
５  磁石
６  ヨーク
７  板ばね
８  カバーフレーム
Ｍ１  可動ユニット
Ｃ  コイル
【図１】
2008268474.tif 000003
【図２】
2008268474.tif 000004
【図３】
2008268474.tif 000005
【図４】
2008268474.tif 000006
【図５】
2008268474.tif 000007
【図６】
2008268474.tif 000008
【図７】
2008268474.tif 000009
【図８】
2008268474.tif 000010
【図９】
2008268474.tif 000011
【図１０】
2008268474.tif 000012
【図１１】
2008268474.tif 000013
【図１２】
2008268474.tif 000014
【図１３】
2008268474.tif 000015
【図１４】
2008268474.tif 000016
【図１５】
2008268474.tif 000017
【図１６】
2008268474.tif 000018
【図１７】
2008268474.tif 000019
【図１８】
2008268474.tif 000020